(57)【要約】      （修正有）【課題】自動変速機に供給される作動油圧を通電電流の大きさに応じて制御するリニアソレノイドバルブの摩耗による性能劣化を改善する。【解決手段】自動変速機に供給される作動油圧を通電電流の大きさに応じて制御するリニアソレノイドバルブ３１、３２の制御装置４１において、前記リニアソレノイドバルブの有するインダクタンス関連情報Ｉｎを取得する取得部４２と、前記取得部で取得された前記インダクタンス関連情報に異常があるか否かを判断する判断部４４と、前記判断部で前記インダクタンス関連情報に異常があると判断された場合に、前記通電電流のディザ変更仕様を決定する計算部４５と、前記計算部から取得した前記ディザ変更仕様に基づいてディザ変更制御を実行する実行部４６と、を備えるリニアソレノイドバルブの制御装置。【選択図】図４
2020172983.tif 000002
【特許請求の範囲】
【請求項１】
自動変速機（５）に供給される作動油圧を通電電流の大きさに応じて制御するリニアソレノイドバルブの制御装置（４１）において、
前記リニアソレノイドバルブ（３１、３２）の有するインダクタンス関連情報（Ｉｎ）を取得する取得部（４２）と、
前記取得部（４２）で取得された前記インダクタンス関連情報（Ｉｎ）に異常があるか否かを判断する判断部（４４）と、
前記判断部（４４）で前記インダクタンス関連情報（Ｉｎ）に異常があると判断された場合に、前記通電電流のディザ変更仕様を決定する計算部（４５）と、
前記計算部（４５）から取得した前記ディザ変更仕様に基づいてディザ変更制御を実行する実行部（４６）と、
を備えるリニアソレノイドバルブの制御装置（４１）。
【請求項２】
前記ディザ変更制御が、前記通電電流のディザ周波数が時間とともに低くなるようにする制御、または、前記通電電流のディザ振幅が時間とともに大きくなるようにする制御である
請求項１に記載のリニアソレノイドバルブの制御装置（４１）。
【請求項３】
前記計算部が、前記インダクタンス関連情報の履歴（Ｉｎ−ｈｉｓ）に基づいて、前記ディザ変更仕様を決定する
請求項１または２に記載のリニアソレノイドバルブの制御装置（４１）。
【請求項４】
前記計算部が、前記ディザ変更制御において取得された情報の履歴（Ｄｉ−ｈｉｓ）に基づいて、前記ディザ変更仕様を決定する
請求項１から３のいずれか一項に記載のリニアソレノイドバルブの制御装置（４１）。
【請求項５】
前記インダクタンス関連情報とは、前記リニアソレノイドバルブ（３１、３２）の有するインダクタンス、または、前記リニアソレノイドバルブに電圧が印加された際の電流の立ち上がり特性である
請求項１から４のいずれか一項に記載のリニアソレノイドバルブの制御装置（４１）。
【請求項６】
前記ディザ変更仕様は、ディザ周波数の変更速度（ｆｄｖ）またはディザ振幅の変更速度（ａｄｖ）を含む
請求項１から５のいずれか一項に記載のリニアソレノイドバルブの制御装置（４１）。
【請求項７】
自動変速機（５）に供給される作動油圧を通電電流の大きさに応じて制御するリニアソレノイドバルブ（３１、３２）の制御方法において、
前記リニアソレノイドバルブ（３１、３２）の有するインダクタンス関連情報（Ｉｎ）を取得するステップ（Ｓ１０）と、
前記インダクタンス関連情報（Ｉｎ）に異常があるか否かを判断するステップ（Ｓ３０）と、
前記インダクタンス関連情報（Ｉｎ）に異常があると判断された場合に、前記通電電流のディザ変更仕様を決定するステップ（Ｓ５０）と、
前記ディザ変更仕様に基づいてディザ変更制御を実行するステップ（Ｓ６０）と、
を備えるリニアソレノイドバルブ（３１、３２）の制御方法。
【発明の詳細な説明】
【技術分野】
【０００１】
本発明は、自動変速機に供給される作動油圧を通電電流の大きさに応じて制御するリニアソレノイドバルブの制御装置およびリニアソレノイドバルブの制御方法に関する。
【背景技術】
【０００２】
自動変速機をリニアソレノイドバルブを用いた油圧システムで制御する場合、コンタミや摩耗によりリニアソレノイドバルブの性能が劣化すると、制御油圧が不安定になり変速がスムースに行えなくなる。
【０００３】
ディザ電流を用いてリニアソレノイドバルブに侵入した砂粒などの異物を除去し、正常な作動を回復するようにした自動変速機の制御装置が開示されている（特許文献１参照）。
【先行技術文献】
【特許文献】
【０００４】
【特許文献１】特開平１１−８２７２４号公報
【発明の概要】
【発明が解決しようとする課題】
【０００５】
しかしながら、従来技術は砂粒などの異物の除去を目的とするものではあるが、リニアソレノイドバルブの摩耗などによる性能劣化を改善することはできなかった。
【０００６】
本発明は、上記問題に鑑みてなされたものであり、本発明の目的とするところは、摩耗などによりリニアソレノイドバルブの性能が劣化しても、性能劣化を改善し、油圧が不安定になることを防ぎ、自動変速機のスムースな変速を可能とするリニアソレノイドバルブの制御装置およびリニアソレノイドバルブの制御方法を提供することにある。
【課題を解決するための手段】
【０００７】
本発明に係るリニアソレノイドバルブの制御装置は、自動変速機に供給される作動油圧を通電電流の大きさに応じて制御するリニアソレノイドバルブの制御装置において、前記リニアソレノイドバルブの有するインダクタンス関連情報を取得する取得部と、前記取得部で取得された前記インダクタンス関連情報に異常があるか否かを判断する判断部と、前記判断部で前記インダクタンス関連情報に異常があると判断された場合に、前記通電電流のディザ変更仕様を決定する計算部と、前記計算部から取得した前記ディザ変更仕様に基づいてディザ変更制御を実行する実行部と、を備えるリニアソレノイドバルブの制御装置である。
【０００８】
前記ディザ変更制御が、前記通電電流のディザ周波数が時間とともに低くなるようにする制御、または、前記通電電流のディザ振幅が時間とともに大きくなるようにする制御であることが好ましい。
【０００９】
前記計算部が、前記インダクタンス関連情報の履歴に基づいて、前記ディザ変更仕様を決定することが好ましい。
【００１０】
前記計算部が、前記ディザ変更制御において取得された情報の履歴に基づいて、前記ディザ変更仕様を決定することが好ましい。
【００１１】
前記インダクタンス関連情報とは、前記リニアソレノイドバルブの有するインダクタンス、または、前記リニアソレノイドバルブに電圧が印加された際の、電流の立ち上がり特性であることが好ましい。
【００１２】
前記ディザ変更仕様は、ディザ周波数の変更速度またはディザ振幅の変更速度を含むことが好ましい。
【００１３】
本発明に係るリニアソレノイドバルブの制御方法は、自動変速機に供給される作動油圧を通電電流の大きさに応じて制御するリニアソレノイドバルブの制御方法において、前記リニアソレノイドバルブの有するインダクタンス関連情報を取得するステップと、前記インダクタンス関連情報に異常があるか否かを判断するステップと、前記インダクタンス関連情報に異常があると判断された場合に、前記通電電流のディザ変更仕様を決定するステップと、前記ディザ変更仕様に基づいてディザ変更制御を実行するステップと、を備えるリニアソレノイドバルブの制御方法である。
【発明の効果】
【００１４】
本発明によれば、摩耗などによりリニアソレノイドバルブの性能が劣化しても、性能劣化を改善し、油圧が不安定になることを防ぎ、自動変速機のスムースな変速を可能とするリニアソレノイドバルブの制御装置およびリニアソレノイドバルブの制御方法を提供することができる。
【図面の簡単な説明】
【００１５】
【図１】本発明の実施形態が用いられる車両の駆動系の全体構成を示す概略図である。
【図２】本発明の実施形態に用いられるディザ周波数、ディザ振幅の説明図である。
【図３】本発明の実施形態に用いられるディザ変更制御について説明する図である。
【図４】本発明の実施形態に係るリニアソレノイドバルブの制御装置の主要な構成を機能ブロック図で表したものである。
【図５】本発明の実施形態に用いられるリニアソレノイドバルブにおける電流の立ち上がり特性に関する例を説明する図である。
【図６】本発明の実施形態に係る判断部がインダクタンス関連情報Iｎに異常があるか否かの判断に関する例を説明する図である。
【図７】本発明の実施形態に係る判断部がインダクタンス関連情報Iｎに異常があるか否かの判断に関する別の例を説明する図である。
【図８】本発明の実施形態に用いられるディザ振幅の変更速度について説明するための図である。
【図９】本発明の実施形態に係るリニアソレノイドバルブの制御方法について説明するフローチャートである。
【図１０】本発明の実施形態に係るリニアソレノイドバルブの制御方法の変形例について説明するフローチャートである。
【図１１】本発明の実施形態に係るリニアソレノイドバルブの制御方法の別の変形例について説明するフローチャートである。
【発明を実施するための形態】
【００１６】
以下、適宜図面を参照して、本発明であるリニアソレノイドバルブの制御装置及びその制御方法に関する実施の形態について具体的に説明する。尚、それぞれの図中、同じ符号を付してあるものについては、特に説明がない限り同一の部材を示しており、適宜説明が省略されている。
【００１７】
（車両の駆動系の全体構成） 
図１は、本発明の実施形態に係るリニアソレノイドバルブの制御装置およびリニアソレノイドバルブの制御方法が用いられる車両の駆動系の全体構成を概略的に示している 。エンジン１の回転動力が自動変速機５を介して駆動輪９に伝達される。自動変速機５の前後に各種の駆動伝達装置３，７が設けられている。
【００１８】
自動変速機５は、ベルト式の無段変速機構であり、 プライマリプーリ１１と、セカンダリプーリ１２と、これら一対のプーリ１１、１２の間 に巻き掛けられたベルト１３と、を備える。
【００１９】
プライマリプーリ１１およびセカンダリプーリ１２は、いずれも固定円錐板と、固定円 錐板に対して対向させた状態で配置された可動円錐板と、を備え、これら一対の円錐板の間にＶ字状の溝が形成されている。可動円錐板は、背部に油圧シリンダ ２１、２２を備え、油圧シリンダ２１、２２に供給される作動油の圧力を調節することで、固定円錐板に対して可動円錐板を同軸上で移動させ、Ｖ溝の幅を変化させることができる。これにより、各プーリ１１、１２のシーブ面とベルト１３との接触径が変更され、自動変速機５の変速比が無段階に変化する。
【００２０】
自動変速機５の各プーリ１１、１２（油圧シリンダ２１、２２）に 供給される作動油の圧力を調整する油圧制御回路３０が設けられている。油圧制御回路３０は、複数の油路およびリニアソレノイドバルブ３１、３２を含む複数のバルブを有している。リニアソレノイドバルブ３１、３２は油圧シリンダ２１、２２に供給される作動油の圧力を調節する。  
【００２１】
リニアソレノイドバルブ３１、３２はいわゆる公知のリニアソレノイドバルブであり、それぞれ内部にコイル３１ｃ、３２ｃを有している。以下特に説明が無い場合には、リニアソレノイドバルブに電圧を印加する、または、リニアソレノイドバルブに通電する等の表現は、それぞれ、リニアソレノイドバルブが有するコイルに電圧を印加する、または、リニアソレノイドバルブが有するコイルに通電するということである。
【００２２】
油圧制御回路３０は変速機制御装置４０により制御される。変速機制御装置４０は電子制御装置として構成され、中央演算装置（ＣＰＵ）、ＲＡＭおよびＲＯＭ等の各種記憶装置、入出力インターフェース等を備えたマイクロコンピュータからなる。変速機制御装置４０はリニアソレノイドバルブ３１、３２を制御するリニアソレノイドバルブの制御装置４１を有している。リニアソレノイドバルブの制御装置４１はリニアソレノイドバルブ３１、３２にディザ電流を通電し、リニアソレノイドバルブ３１、３２を駆動する。リニアソレノイドバルブの制御装置４１は自動変速機５に供給される作動油の圧力を、リニアソレノイドバルブ３１、３２の通電電流の大きさに応じて制御する。
【００２３】
（ディザ電流）
図２は、横軸が時間ｔ、縦軸が電流Iであり、通常時にリニアソレノイドバルブ３１、３２に通電されるディザ電流を説明するための図である。尚、図２は。通常時に通電されるディザ電流は、所定のディザ周波数ｆｄｃまたは、所定のディザ振幅ａｄｃを有する変動電流である。尚、τｄｃはディザ電流の周期である。  
【００２４】
（ディザ変更制御）
後述する判断部が条件を満たすと判断する場合には、リニアソレノイドバルブの制御装置４１は、通常制御時のディザ電流の通電を止め、ディザ変更制御を実行する。ディザ変更制御とは、一例ではディザ周波数が時間とともに低くなるようにする制御であり、別の例としてはディザ振幅が時間とともに大きくなるようにする制御である。図３（ａ）はディザ周波数が時間とともに低くなるようにディザ変更制御を行った場合のリニアソレノイドバルブ３１、３２に流れる電流の例である。図３（ａ）中にはディザ周波数ではなく、ディザの周期（τ１、τ２）が記載されている。ディザの周期から計算されるディザ周波数がｆ１＝１／τ１、ｆ２＝１／τ２と時間とともに低くなっている。図３（ｂ）はディザ振幅が時間とともに大きくなるようにディザ変更制御を行った場合のリニアソレノイドバルブ３１、３２に流れる電流の例である。ディザ振幅がａ１、ａ２と時間とともに大きくなっている。
【００２５】
（リニアソレノイドバルブの制御装置）
図４は、リニアソレノイドバルブの制御装置４１に備えられた構成のうちリニアソレノイドバルブの性能劣化を改善する部分を機能的なブロック図で表したものである。リニアソレノイドバルブの制御装置４１は、取得部４２と、記憶部４３と、判断部４４と、計算部４５と、実行部４６とを有している。さらに、実行部４６はスイッチ素子ＳＷ１およびスイッチ素子ＳＷ２と連結している。実行部４６の信号はスイッチ素子ＳＷ１、２の入力端子に入力される。一方、スイッチ素子ＳＷ１、２の電源端子は例えば車両が有するバッテリ等の電源（ＶＢ）に連結され、スイッチ素子ＳＷ１、２の出力端子はリニアソレノイドバルブ３１、３２の有するコイル３１Ｃ、３２Ｃの一端部とそれぞれ連結される。コイル３１Ｃ、３２Ｃの他端部は電流検出素子Ｓｅｎ１、２の一端部とそれぞれ連結し、電流検出素子Ｓｅｎ１、２の他端部は例えば接地電極（ＧＮＤ）に連結される。スイッチ素子ＳＷ１、２は、例えばリニアソレノイドバルブ３１、３２への通電、非通電を制御する機能や、リニアソレノイドバルブ３１、３２に印加される電圧を制御する機能を有している。また、スイッチ素子ＳＷ１、２は例えばトランジスタやＦＥＴ（電界効果トランジスタ）を含んで構成されている。
【００２６】
（取得部）
取得部４２は、リニアソレノイドバルブ３１、３２の有するインダクタンス関連情報Iｎを取得する。インダクタンス関連情報Iｎは、例えばリニアソレノイドバルブ３１、３２に流れる電流の立ち上がり特性に関する情報であり、また、例えばリニアソレノイドバルブ３１、３２が有するインダクタンスである。電流の立ち上がり特性に関する情報とは、例えばコイルに電圧が印加された後所定の電流値に到達するまでの時間であり、または、コイルに電圧が印加された後所定時間経過時に到達する電流値である。また、別の例としてインダクタンス関連情報Iｎは、リニアソレノイドバルブ３１、３２に流れる電流の立ち下がり特性に関する情報であってもよい。以下、電流の立ち上がり特性の例について説明するが、電流の立ち下がり特性の例に置き換えてもよい。
【００２７】
図５は、リニアソレノイドバルブ３１、３２における電流の立ち上がり特性に関する例を説明するための図である。図５（ｂ）はリニアソレノイドバルブ３１、３２に印加された電圧を示す。時刻ｔｓの時点で一定電圧Ｖｃが印加されている。図５（ａ）は、電圧Ｖｃの印加にともなってリニアソレノイドバルブ３１、３２に流れる電流Ｉを示す。
【００２８】
ここで、図５（ａ）中のＡは、各リニアソレノイドバルブが有するアーマチャが、電圧の印加に伴って移動した場合の電流の立ち上がり特性を示す。図５（ａ）中のＢは、電圧を印加したにもかかわらず、アーマチャの摺動抵抗が大きく、動かない場合の電流の立ち上がり特性を示す。このように、アーマチャが動かないＢの場合には、アーマチャが動くＡの場合に比べ電流の立ち上がり時間が遅くなる。
【００２９】
例えば、所定の電流値Ｉｃに到達するまでの時間ｔを、電流の立ち上がり特性とし、インダクタンス関連情報Iｎと定めることができる。この場合には、アーマチャが動く場合における電流の立ち上がり特性すなわちインダクタンス関連情報IｎはｔＡであり、アーマチャが動かない場合における電流の立ち上がり特性すなわちインダクタンス関連情報IｎはｔＢとなる。
【００３０】
例えば、所定の時間Ｔｃ経過時に到達する電流値を、電流の立ち上がり特性とし、インダクタンス関連情報Iｎと定めることもできる。この場合には、アーマチャが動く場合における電流の立ち上がり特性すなわちインダクタンス関連情報IｎはＩＡであり、アーマチャが動かない場合における電流の立ち上がり特性すなわちインダクタンス関連情報IｎはＩＢとなる。
【００３１】
また、例えば電流の立ち上がり特性を基にインダクタンスを求めて、それをインダクタンス関連情報Iｎとしてもよい。アーマチャが動かないＢの場合のインダクタンスは、アーマチャが動くＡの場合のインダクタンスに比べ大きな値となる。インダクタンスの取得方法は上述のものに限られず、公知の種々の方法を使ってインダクタンスを取得することができる。
【００３２】
（記憶部）
記憶部４３は、取得部４２が取得したインダクタンス関連情報Ｉｎをインダクタンス関連情報の履歴Ｉｎ−ｈｉｓとして取得した時刻とともに記憶する。
また、記憶部４３は、後述するディザ変更制御において取得された各種情報をディザ変更制御の履歴Ｄｉ−ｈｉｓとして記憶する。各種情報については後述するフローチャートの説明で述べる。
【００３３】
（判断部）
判断部４４は、取得部４２から取得したインダクタンス関連情報Iｎに異常があるか否かを判断する。判断部４４は、インダクタンス関連情報Iｎに異常が無い場合にはディザ変更制御を開始しない、または、ディザ変更制御中には終了すると判断する。判断部４４は、インダクタンス関連情報Iｎに異常がある場合にはディザ変更制御を開始する、または、ディザ変更制御中には継続すると判断する。
【００３４】
また、判断部４４は、ディザ変更制御の実行時間が所定の時間を経過したか否かを判断する。
【００３５】
インダクタンス関連情報Ｉｎに異常がある場合とは、例えば電流の立ち上がり特性に異常がある場合である。図６、図７はそれぞれ判断の一例を説明するための図である。尚、図６、図７において、横軸は時間ｔであり、図６（ａ）、図７（ａ）の縦軸は電流Ｉ、図６（ｂ）、図７（ｂ）の縦軸は電圧Ｖである。
【００３６】
まず、図６の例について説明する。判断部４４は、リニアソレノイドバルブ３１、３２のコイルに一定電圧Ｖｃが印加された後の電流の立ち上がり特性を取得し、所定の時間Ｔｃ経過時の電流値が所定の閾値Iｔｈより小さい場合には（図６のＩｂ）、電流の立ち上がり特性に異常がある、すなわち、インダクタンス関連情報Ｉｎに異常があると判断し、所定の時間Ｔｃ経過時の電流値が所定の閾値Iｔｈ以上の場合には（図６のＩａ）、電流の立ち上がり特性に異常がない、すなわち、インダクタンス関連情報Ｉｎに異常がないと判断する。
【００３７】
次に、図７の例について説明する。判断部４４は、リニアソレノイドバルブ３１、３２のコイルに一定電圧Ｖｃが印加された後の電流の立ち上がり特性を取得し、所定の電流値Iｃ到達時の時間が所定の閾値Ｔｔｈより長い場合には（図７のＴｂ）、電流の立ち上がり特性に異常がある、すなわち、インダクタンス関連情報Ｉｎに異常があると判断し、所定の電流値Iｃ到達時の時間が所定の閾値Ｔｔｈ以下の場合には（図７のＴａ）、電流の立ち上がり特性に異常がない、すなわち、インダクタンス関連情報Ｉｎに異常がないと判断する。アーマチャの摺動抵抗が大きく動かない場合には、電流の立ち上がり時間が遅くなり、インダクタンス関連情報Ｉｎに異常があると判断される。
【００３８】
インダクタンス関連情報Ｉｎがインダクタンスである場合には、検出又は取得されたインダクタンスが閾値Ｌｔｈより大きい場合にはインダクタンスが異常である、すなわち、インダクタンス関連情報Ｉｎに異常があると判断し、検出又は取得されたインダクタンスが閾値Ｌｔｈ以下の場合には、インダクタンスに異常がない、すなわち、インダクタンス関連情報Ｉｎに異常がないと判断してもよい。
【００３９】
判断部４４がディザ変更制御の開始を決定すると、計算部４５は、記憶部４３から取得したインダクタンス関連情報の履歴Ｉｎ−ｈｉｓに基づいてディザ変更仕様を決定する。
【００４０】
ディザ変更制御がディザ周波数を時間とともに低くなるようにする制御である場合には、ディザ変更仕様は例えばディザ周波数の変更速度ｆｄｖであり、さらに、ディザ変更仕様がディザ変更制御中における最大ディザ周波数ｍａｘや最小ディザ周波数ｍｉｎを含んでいてもよい。また、ディザ変更制御がディザ振幅を時間とともに大きくなるようにする制御である場合には、ディザ変更仕様は例えばディザ振幅の変更速度ａｄｖであり、さらに、ディザ変更仕様がディザ変更制御中における最大ディザ振幅ａｄｍａｘや最小ディザ振幅ａｄｍｉｎを含んでいてもよい。
【００４１】
例えば、計算部４５は、インダクタンス関連情報の履歴Ｉｎ−ｈｉｓとして記憶部４３に記憶された電流の立ち上がり特性の履歴に応じて、ディザ周波数の変更速度ｆｄｖ、ディザ振幅の変更速度ａｄｖを決定することができる。同様に、計算部４５は、インダクタンス関連情報の履歴Ｉｎ−ｈｉｓとして記憶部４３に記憶されたインダクタンスの履歴に応じて、ディザ周波数の変更速度ｆｄｖ、ディザ振幅の変更速度ａｄｖを決定してもよい。例えば、電流の立ち上がり特性の履歴から電流の立ち上がり特性の変化の速度を算出し、変化の速度が速いほど、ディザ周波数の変更速度ｆｄｖ、またはディザ振幅の変更速度ａｄｖが速くなるように決定することができる。また、例えば、インダクタンスの履歴からインダクタンスの変化の速度を算出し、変化の速度が速いほど、ディザ周波数の変更速度ｆｄｖ、またはディザ振幅の変更速度ａｄｖが速くなるように決定してもよい。
【００４２】
図８は、横軸が時間ｔ、縦軸が電流Iであり、ディザ振幅の変更速度ａｄｖについて説明するための図である。時間ｔ０の間に、Ｃ（実線）のディザ振幅はａＣ１からａＣ２に変化しているのに対して、Ｄ（破線）のディザ振幅はａＤ１からａＤ２に変化している。このことから、Ｃ（実線）のディザ振幅の変更速度ａｄｖＣは（ａＣ２−ａＣ１）／ｔ０と、Ｄ（破線）のディザ振幅の変更速度ａｄｖＤは（ａＤ２−ａＤ１）／ｔ０と計算される。図から明らかなようにａＣ２−ａＣ１＜ａＤ２−ａＤ１であるので、ａｄｖＣ＜ａｄｖＤである。したがって、ディザ振幅の変更速度が速くなるということは、Ｃ（実線）の状態からＤ（破線）の状態になることである。
【００４３】
また、計算部４５は、記憶部４３に記憶されたディザ変更制御の履歴Ｄｉ−ｈｉｓに基づいてディザ変更仕様を決定することができる。例えば、計算部４５は、前回のディザ変更制御に要した時間が前々回のディザ変更制御に要した時間に比べ短くなっている場合には、今回のディザ変更制御におけるディザ周波数の変更速度ｆｄｖまたはディザ電流の振幅の変更速度ａｄｖを前回ディザ変更制御時のディザ周波数の変更速度ｆｄｖまたはディザ電流の振幅の変更速度ａｄｖよりも遅くするように決定してもよい。逆に、計算部４５は、前回のディザ変更制御に要した時間が前々回のディザ変更制御に要した時間に比べ長くなっている場合には、今回のディザ変更制御におけるディザ周波数の変更速度ｆｄｖまたはディザ電流の振幅の変更速度ａｄｖを前回ディザ変更制御時のディザ周波数の変更速度ｆｄｖまたはディザ電流の振幅の変更速度ａｄｖよりも速くするように決定してもよい。
【００４４】
（実行部）
実行部４６は、別途決定または取得されたリニアソレノイドバルブ３１に流す第１の目標電流Ｉ_ｓｏｌ１、および別途決定または取得されたリニアソレノイドバルブ３２に流す第２の目標電流Ｉ_ｓｏｌ２を取得する。以下、簡単のために第１の目標電流Ｉ_ｓｏｌ１と第２の目標電流Ｉ_ｓｏｌ２をまとめて目標電流Ｉ_ｓｏｌとする。リニアソレノイドバルブ３１、３２に流す目標電流Ｉ_ｓｏｌは、油圧シリンダ２１、２２に供給される油圧の目標値と実際の油圧等に基づいて決定される。
【００４５】
実行部４６は、ディザ変更制御が実行されていない期間すなわち通常制御時においては、通常制御時のディザ仕様である通常ディザ周波数ｆｄｃまたは通常ディザ振幅ａｄｃを記憶部４３等から取得する。そして、実行部４６は、リニアソレノイドバルブ３１、３２に流れる電流が、目標電流Ｉ_ｓｏｌとなりかつ通常ディザ周波数ｆｄｃを有するように、または目標電流Ｉ_ｓｏｌとなりかつ通常ディザ振幅ａｄｃを有するように、駆動信号を生成する。当該駆動信号がスイッチ素子ＳＷ１、２に入力されると、リニアソレノイドバルブ３１、３２が通電され、リニアソレノイドバルブ３１、３２が駆動される。実行部４６は、リニアソレノイドバルブ３１、３２に通電される電流を検知する電流検知素子Ｓｅｎ１、２からのフィードバックを受信する閉ループ制御回路として構成されていてもよい。
【００４６】
ディザ変更制御の開始決定後、実行部４６は、計算部４５からディザ変更仕様を取得する。実行部４６は計算部４５から取得した前記ディザ変更仕様に基づいてディザ変更制御を実行する。すなわち、実行部４６は、リニアソレノイドバルブ３１、３２に流れる電流が、目標電流Ｉ_ｓｏｌとなりかつ計算部４５から取得したディザ変更仕様を有するように、駆動信号を生成する。当該駆動信号がスイッチ素子ＳＷ１、２に入力されると、駆動信号に基づいてリニアソレノイドバルブ３１、３２が通電される。ここで、リニアソレノイドバルブ３１、３２に流れる電流が目標電流Ｉ_ｓｏｌになるとは、リニアソレノイドバルブ３１、３２に流れる平均電流が目標電流Ｉ_ｓｏｌになるということである。
【００４７】
本発明のリニアソレノイドバルブの制御装置によれば、リニアソレノイドバルブ３１、３２のアーマチャの摺動部に摩耗等に起因する摺動抵抗が生成され、当該摺動抵抗が大きくなってアーマチャの動きが悪くなった場合には、インダクタンス関連情報Iｎに基づいて、アーマチャの動きが悪くなったことを判断することができる。
【００４８】
また、本発明のリニアソレノイドバルブの制御装置によれば、ディザ変更制御によって、例えば、ディザ電流の振幅ａｄが時間とともに大きくなるように制御がなされると、アーマチャに加えられる力の振幅が時間とともに大きくなるので、アーマチャが微振動を起こす。この微振動により潤滑油が流入し、摩耗部が平滑され、アーマチャの動きが改善される。また、ディザ変更制御によって、ディザ周波数が時間とともに低くなるよう制御がなされた場合にも、アーマチャの微振動が誘発され、この微振動により潤滑油が流入し、摩耗部が平滑され、同様に、アーマチャの動きが改善される。
【００４９】
また、本発明のリニアソレノイドバルブの制御装置によれば、インダクタンス関連情報の履歴Ｉｎ−ｈｉｓに基づいてディザ変更仕様を決定することができるので、インダクタンス関連情報の履歴Ｉｎ−ｈｉｓの変化が大きく、アーマチャの動作が急速に悪化している場合には、ディザ変更仕様である、例えば、ディザ振幅の変更速度ａｄｖやディザ周波数の変更速度ｆｄｖを速くすることにより、アーマチャの劣化を早期に改善することができる。
【００５０】
また、本発明のリニアソレノイドバルブの制御装置によれば、ディザ変更制御の履歴Ｄｉ−ｈｉｓに基づいてディザ変更仕様を決定することができるので、以前実施されたディザ変更制御におけるインダクタンス関連情報Ｉｎの改善量や改善速度に応じて、ディザ変更仕様を決定することができ、ディザ振幅の変更速度ａｄｖやディザ周波数の変更速度ｆｄｖを適切に設定することができる。
【００５１】
（リニアソレノイドバルブの制御方法）
次に、上述したリニアソレノイドバルブの制御装置によって実行されるリニアソレノイドバルブの制御方法について図８に示すフローチャートに基づいて説明する。
【００５２】
ステップＳ１０で、取得部４２がインダクタンス関連情報Ｉｎを取得する。続いて、ステップＳ２０で、記憶部４３は、取得したインダクタンス関連情報Ｉｎをインダクタンス関連情報の履歴Ｉｎ−ｈｉｓとして取得した時刻とともに記憶する。
【００５３】
ステップＳ３０で、判断部４４はインダクタンス関連情報Ｉｎに異常があるか否かを判断する。異常がある場合にはステップＳ４０に進み、異常がない場合には本フローを終了する。インダクタンス関連情報Ｉｎに異常がある場合とは、前述のリニアソレノイドバルブの制御装置で説明した通りある。
【００５４】
ステップＳ４０で、ディザ変更制御の開始を決定し、その後ステップＳ５０に進む。ディザ変更制御とは、ディザ周波数が時間とともに低くなるようにする制御であり、または、ディザ振幅が時間とともに大きくなるようにする制御である。
【００５５】
ステップＳ５０で、計算部４５は、インダクタンス関連情報の履歴Ｉｎ−ｈｉｓに基づいてディザ変更仕様を決定し、ステップＳ６０に進む。ディザ変更制御がディザ周波数を時間とともに低くなるようにする制御である場合には、ディザ変更仕様は、例えばディザ周波数の変更速度ｆｄｖであり、さらに、ディザ変更仕様がディザ変更制御中における最大ディザ周波数ｍａｘや最小ディザ周波数ｍｉｎを含んでいてもよい。また、ディザ振幅ａｄが時間とともに大きくなるようにする制御である場合には、ディザ変更仕様は、例えばディザ振幅の変更速度ａｄｖであり、さらに、ディザ変更仕様がディザ変更制御中における最大ディザ振幅ａｄｍａｘや最小ディザ振幅ａｄｍｉｎを含んでいてもよい。
【００５６】
ステップＳ６０で、実行部４６は計算部４５から取得した前記ディザ変更仕様に基づいてディザ変更制御を実行する。すなわち、実行部４６は、リニアソレノイドバルブ３１、３２に流れる電流が、目標電流Ｉ_ｓｏｌとなりかつ計算部４５から取得したディザ変更仕様を有するように、駆動信号を生成する。当該駆動信号がスイッチ素子ＳＷ１、２に入力されると、駆動信号に基づいてリニアソレノイドバルブ３１、３２がそれぞれ通電される。目標電流Ｉ_ｓｏｌは、油圧シリンダ２１、２２に供給される油圧の目標値と実際の油圧等に基づいて別途決定または取得されるリニアソレノイドバルブ３１、３２に流す目標電流である。
【００５７】
続くステップＳ７０で、取得部４２はディザ変更制御中のインダクタンス関連情報Ｉｎを取得する。
【００５８】
続いて、ステップＳ８０で、判断部４４は、ディザ変更制御中のインダクタンス関連情報Ｉｎに異常があるか否かを判断する。異常がある場合にはステップＳ９０に進み、異常がない場合にはステップＳ１００に進む。
【００５９】
ステップＳ９０で、判断部４４は、ディザ変更制御の実行時間が所定の時間を超えたか否かを判断する。所定時間を超えた場合には、ステップＳ１００に進み、所定時間以内の場合には、ステップＳ６０に戻り、ディザ変更制御を継続する。また、ディザ変更制御がディザ周波数を時間とともに低くなるように制御する場合であって、所定時間以内にディザ周波数が最小ディザ周波数ｆｄｍｉｎに達した場合には、ディザ周波数を最大ディザ周波数ｆｄｍａｘに戻し、再びディザ周波数を時間とともに低くなるように制御してもよい。ディザ振幅が時間とともに大きくなるように制御する場合も同様である。
【００６０】
ステップＳ１００では、ディザ変更制御を終了し、ステップＳ１１０に進む。
【００６１】
ステップＳ１１０では、記憶部４３がディザ変更制御において取得された情報をディザ変更制御の履歴Ｄｉ−ｈｉｓとして記憶し、その後本フローを終了する。ディザ変更制御の履歴Ｄｉ−ｈｉｓとして記憶される情報には、ディザ変更仕様、ディザ変更制御の開始が決定された際のインダクタンス関連情報Ｉｎｓ、ディザ変更制御の終了が決定された際のインダクタンス関連情報Ｉｎｆ、ディザ変更制御におけるインダクタンス関連情報Ｉｎの改善量、ディザ変更制御に要した時間、およびディザ変更制御においてインダクタンス関連情報Ｉｎの異常が解消されたか否か等が含まれていてよい。尚、ディザ変更制御におけるインダクタンス関連情報Ｉｎの改善量は、ディザ変更制御の開始が決定された際のインダクタンス関連情報Ｉｎｓとディザ変更制御の終了が決定された際のインダクタンス関連情報Ｉｎｆとの差から計算されてもよい。ディザ変更仕様については、前述の通りである。
【００６２】
本発明のリニアソレノイドバルブの制御方法によれば、リニアソレノイドバルブ３１、３２のアーマチャの摺動部に摩耗等に起因する摺動抵抗が生成され、当該摺動抵抗大きくなってアーマチャの動きが悪くなった場合には、インダクタンス関連情報Iｎに基づいて、アーマチャの動きが悪くなったことを判断することができる。
【００６３】
また、本発明のリニアソレノイドバルブの制御方法によれば、ディザ変更制御によって、例えば、ディザ電流の振幅が時間とともに大きくなるように制御がなされると、アーマチャに加えられる力の振幅が時間とともに大きくなるので、アーマチャが微振動を起こす。この微振動により潤滑油が流入し、摩耗部が平滑され、アーマチャの動きが改善される。また、ディザ変更制御によって、ディザ周波数が時間とともに低くなるよう制御がなされた場合にも、アーマチャの微振動が誘発され、この微振動により潤滑油が流入し、摩耗部が平滑され、同様に、アーマチャの動きが改善される。
【００６４】
また、本発明のリニアソレノイドバルブの制御方法によれば、インダクタンス関連情報の履歴Ｉｎ−ｈｉｓに基づいてディザ変更仕様を決定することができるので、インダクタンス関連情報の履歴Ｉｎ−ｈｉｓの変化が大きく、アーマチャの動作が急速に悪化している場合には、ディザ変更仕様である、例えば、ディザ振幅の変更速度ａｄｖやディザ周波数の変更速度ｆｄｖを速くすることにより、アーマチャの劣化を早期に改善することができる。
【００６５】
（リニアソレノイドバルブの制御方法の変形例）
次に、リニアソレノイドバルブの制御方法の変形例について図９に示すフローチャートに基づいて説明する。変形例は、ステップＳ５０に代えてステップＳ５１を有する。以下ステップＳ５０に対するステップＳ５１の違いについて説明する。
【００６６】
ステップＳ５０では、計算部４５は、インダクタンス関連情報の履歴Ｉｎ−ｈｉｓに基づいてディザ変更仕様を決定したが、ステップＳ５１では、計算部４５は、ディザ変更制御の履歴Ｄｉ−ｈｉｓに基づいてディザ変更仕様を決定する。例えば、計算部４５は、前回のディザ変更制御に要した時間が前々回のディザ変更制御に要した時間に比べ短くなっている場合には、今回のディザ変更制御におけるディザ周波数の変更速度ｆｄｖまたはディザ電流の振幅の変更速度ａｄｖを前回ディザ変更制御時のディザ周波数の変更速度ｆｄｖまたはディザ電流の振幅の変更速度ａｄｖよりも遅くするように決定してもよい。逆に、計算部４５は、前回のディザ変更制御に要した時間が前々回のディザ変更制御に要した時間に比べ長くなっている場合には、今回のディザ変更制御におけるディザ周波数の変更速度ｆｄｖまたはディザ電流の振幅の変更速度ａｄｖを前回ディザ変更制御時のディザ周波数の変更速度ｆｄｖまたはディザ電流の振幅の変更速度ａｄｖよりも早くするように決定してもよい。
【００６７】
また、例えば、計算部４５は、前回のディザ変更制御におけるインダクタンス関連情報Ｉｎの改善量が前々回のディザ変更制御におけるインダクタンス関連情報Ｉｎの改善量に比べ大きくなっている場合にはディザ周波数の変更速度ｆｄｖまたはディザ電流の振幅の変更速度ａｄｖを遅くし、小さくなっている場合にはディザ周波数の変更速度ｆｄｖまたはディザ電流の振幅の変更速度ａｄｖを速くするようにディザ変更仕様を決定してもよい。
【００６８】
また、前回、前々回の情報だけでなく、計算部４５は、ディザ変更制御の履歴Ｄｉ−ｈｉｓに記録された任意の履歴から、新たなディザ周波数の変更速度ｆｄｖまたはディザ電流の振幅の変更速度ａｄｖを決定してもよい。
【００６９】
本発明のリニアソレノイドバルブの制御方法の変形例によれば、ディザ変更制御の履歴Ｄｉ−ｈｉｓに基づいてディザ変更仕様を決定することができるので、以前実施されたディザ変更制御におけるインダクタンス関連情報Ｉｎの改善量や改善速度に応じて、ディザ変更仕様を決定することができるので、例えば、ディザ振幅の変更速度やディザ周波数の変更速度ｆｄｖを適切に設定することができる。
【００７０】
さらに、リニアソレノイドバルブの制御方法の別の変形例は、ステップＳ５０に代えてステップＳ５２を有するものである。ステップＳ５２では、計算部４５は、インダクタンス関連情報の履歴Ｉｎ−ｈｉｓと、ディザ変更制御の履歴Ｄｉ−ｈｉｓの両方に基づいてディザ変更仕様を決定する。（図１０参照）
【００７１】
本発明のリニアソレノイドバルブの制御方法の別の変形例によれば、インダクタンス関連情報の履歴Ｉｎ−ｈｉｓに基づいてディザ変更仕様を決定することができるので、インダクタンス関連情報の履歴Ｉｎ−ｈｉｓの変化が大きく、アーマチャの動作が急速に悪化している場合には、ディザ変更仕様である、例えば、ディザ振幅の変更速度ａｄｖやディザ周波数の変更速度ｆｄｖを速くすることにより、アーマチャの劣化を早期に改善することができる。かつ、ディザ変更制御の履歴Ｄｉ−ｈｉｓに基づいてディザ変更仕様を決定することができるので、以前実施されたディザ変更制御におけるインダクタンス関連情報Ｉｎの改善量や改善速度に応じて、ディザ変更仕様を決定することができるので、例えば、ディザ振幅の変更速度ａｄｖやディザ周波数の変更速度ｆｄｖを適切に設定することができる。
【００７２】
以上、添付図面を参照しながら本発明の実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００７３】
１：エンジン、３：駆動伝達装置、５：自動変速機、７：駆動伝達装置、９：駆動輪、１１：プライマリプーリ、１２：セカンダリプーリ、１３：ベルト、２１：油圧シリンダ、２２：油圧シリンダ、３０：油圧制御回路、３１：リニアソレノイドバルブ、３１ｃ：コイル、３２：リニアソレノイドバルブ、３２ｃ：コイル、４０：変速機制御装置、４１：リニアソレノイドバルブの制御装置、４２：取得部、４３：記憶部、４４：判断部、４５  計算部、４６  実行部、Ｉｎ  インダクタンス関連情報、Ｉｎ−ｈｉｓ  インダクタンス関連情報の履歴、Ｄｉ―ｈｉｓ  ディザ変更制御の履歴、ＳＷ  スイッチ素子、Ｓｅｎ  電流検知素子。    
【図１】
2020172983.tif 000003
【図２】
2020172983.tif 000004
【図３】
2020172983.tif 000005
【図４】
2020172983.tif 000006
【図５】
2020172983.tif 000007
【図６】
2020172983.tif 000008
【図７】
2020172983.tif 000009
【図８】
2020172983.tif 000010
【図９】
2020172983.tif 000011
【図１０】
2020172983.tif 000012
【図１１】
2020172983.tif 000013